(57)【要約】【課題】トラックの荷台に簡単に固定することができ、運搬時には高さを低くすることができて、車載した状態でも地上に据え置いた状態でも使用することができる仮設トイレを提供する。【解決手段】天井部２は、電動アクチュエーターを利用した昇降手段３と、この昇降手段３を円滑に作動させるための昇降姿勢保持体４により昇降し、この昇降手段３により上昇した状態を保持できるようになっている。そして、天井部２が上昇した状態では、蛇腹シート５が、天井部２と箱型本体１との間にできる隙間を遮蔽している。また、箱型本体１には、運搬の際にトラックＴの荷台のとりいに着脱自在に固定する第１の固定手段６と、あおりＢに着脱自在に固定する第２の固定手段７が設けられている。【選択図】        図２
2004270427.tif 000002
【特許請求の範囲】
【請求項１】
箱型の仮設トイレであって、箱型の天井部が箱型本体に対して昇降可能に構成されており、上記天井部を昇降させる昇降手段と、天井部を上昇させた状態における天井部と箱型本体との隙間を塞ぐ遮蔽手段と、運搬の際にトラックの荷台のとりいおよびあおりの少なくとも一方に着脱自在に固定する固定手段とを備えていることを特徴とする仮設トイレ。
【請求項２】
軽トラックから３トン車クラスの高床式、およびワイドタイプのトラックにも積載でき、トラックの荷台のとりいおよびあおりの少なくとも一方に着脱自在に固定する固定手段と、地上とトラックの荷台間を昇降するための昇降ステップを備えており、車載状態および地上据え置き状態のいずれでも使用することができる請求項１記載の仮設トイレ。
【請求項３】
天井部の昇降は、電動アクチュエーターを利用した昇降手段とこの昇降手段を円滑に作動させるための昇降姿勢保持体とを備えており、天井部全体を昇降させることができる請求項１または２記載の仮設トイレ。
【請求項４】
箱型の仮設トイレは、工事現場等における安全通行誘導を行うための表示部を簡単に後付でき、しかも天井部の昇降と連動して表示部が昇降する機構を備えた請求項１〜３いずれか一項に記載の仮設トイレ。
【発明の詳細な説明】
【０００１】
【発明の属する技術分野】
本発明は、道路の工事現場，作業現場等において臨時的に設置される仮設トイレに関するものである。
【０００２】
【従来の技術】
従来、道路の工事現場等では、作業者の殆んどが男性であったため、トイレを設置することに殆んど配慮がなかった。このため、女性は、工事当日の朝から水分の摂取を控える等して自己調整をしていた。しかしながら、近年、環境問題や社会道徳等の観念から、工事現場等でのトイレの設置は不可欠のものとなりつつある。
【０００３】
そこで、工事の際には、従来より公知の地上据え置き式の簡易トイレを工事現場等に設置するようになってきている。上記簡易トイレは、トラックの荷台にロープ等で固定されて工事現場等まで運搬され、そこでトラックの荷台から降ろされて設置されるようになっている。特に、工事が短期の場合には、その簡易トイレを運搬トラックに車載したままの状態で使用することもある。
【０００４】
また、工事用トイレ車が開発されて市販されてきてもいる。このものは、自動車を改造してトイレを備え付けたトイレ専用車であり、上記工事用トイレ車を工事現場等まで運転して駐車することによりトイレが設置されるようになっている。
【０００５】
【発明が解決しようとする課題】
しかしながら、上記地上据え置き式の簡易トイレでは、トラックの荷台に固定する際に、固定用のロープ等を準備しなければならないため、煩わしく、しかも、上記ロープ等では充分に安定させることが困難である。また、高さが約２．２〜２．５ｍと高いため、運搬時には、高さ制限に抵触することが多く、軽トラックに積載しても高さが３ｍを超えてしまう。このため、運搬時には、風の影響を大きく受け、トラックの運転がしずらくなったりして危険であり、安全面に多くの課題を抱えている。
【０００６】
また、上記工事用トイレ車では、自動車がトイレ専用車としての用途しかなく、他の用途に使うことができない。しかも、上記工事用トイレ車は、改造車であるため、購入価格が高価になったり特殊車輌申請等が必要であったりするとともに、自動車としての維持費もかかる。このため、上記工事用トイレ車は、中小企業にまで普及しにくい。
【０００７】
本発明は、このような事情に鑑みなされたもので、トラックの荷台に簡単に固定することができ、運搬時には高さを低くすることができるため走行安定性も高く、車載した状態でも地上に据え置いた状態でも使用することができる仮設トイレの提供をその目的とする。
【０００８】
【課題を解決するための手段】
上記の目的を達成するため、本発明の仮設トイレは、箱型の仮設トイレであって、箱型の天井部が箱型本体に対して昇降可能に構成されており、上記天井部を昇降させる昇降手段と、天井部を上昇させた状態における天井部と箱型本体との隙間を塞ぐ遮蔽手段と、運搬の際にトラックの荷台のとりいおよびあおりの少なくとも一方に着脱自在に固定する固定手段とを備えているという構成をとる。
【０００９】
すなわち、本発明の仮設トイレは、箱型の天井部が箱型本体に対して昇降可能に構成されており、上記天井部を昇降させる昇降手段と、天井部を上昇させた状態における天井部と箱型本体との隙間を塞ぐ遮蔽手段とを備えているため、トラックの荷台に載せて運搬する際には、天井部を下降させ、仮設トイレの高さを低くすることができる。このため、運搬時に、高さ制限に抵触することがなく、風の影響を受けにくく、トラックの運転にとって安全になる。しかも、トラックの荷台のとりいおよびあおりの少なくとも一方に着脱自在に固定する固定手段を備えているため、固定用のロープ等を用いることなく、簡単にトラックの荷台に安定させて固定することができる。なお、本発明において、「とりい」とは、トラックの荷台の前方（運転台後方）のフレームであり、「あおり」とは、トラックの荷台の囲いの部分である。
【００１０】
また、本発明の仮設トイレにおいて、天井部の昇降機構が、電動アクチュエーターを利用した昇降手段とこの昇降手段を円滑に作動させるための昇降姿勢保持体とを備えており、天井部全体が平行に上昇するため、仮設トイレ内部の天井空間を広くすることができる。したがって、楽な姿勢で用を足すことができ、圧迫感も感じない。
【００１１】
また、本発明の仮設トイレにおいて、トラックの荷台のとりいおよびあおりの少なくとも一方に着脱自在に固定する固定手段は、左右方向にスライド自在に摺動する摺動腕体と、この摺動腕体の先端に回動自在に連結されている回動腕体と、この回動腕体に回動自在に連結されているクランプを備えており、トラックの荷台の左右のあおり間の幅およびとりいとあおりの高さの変化にも対応できるようになっており、軽トラックから３トン車クラスの高床式およびワイドタイプのトラックに至るまで幅広く本発明の仮設トイレを積載し、簡単に固定することができる。したがって、本発明の仮設トイレを積載するトラックを専用化せずに、車載した状態でも地上に据え置いた状態でも使用することができる。
【００１２】
また、本発明の仮設トイレにおいて、箱型本体の底面には昇降ステップが格納されている。そして、この昇降ステップはスライド自在に摺動する伸長体と昇降ステップをトラックの荷台に位置決め固定するフックを備えているため、軽トラックから３トン車クラスの高床式トラックの荷台高さの変化にも対応して使用することができる。
【００１３】
そして、本発明の仮設トイレにおいて、天井部の昇降手段が、工事現場等における安全通行誘導を行うための表示部を天井部の昇降と連動して昇降させる機能を備えており、表示部を取り付けた表示部受け台を天井部に簡単に後付けできる構造となっている。したがって、上記の表示部を取り付けることにより、本発明の仮設トイレは道路の工事現場，作業現場等において臨時的に設置される仮設トイレと、安全通行誘導を行うための規制標識としての１台２役の機能を兼ね備えた利用価値の高いものとなる。
【００１４】
【発明の実施の形態】
つぎに、本発明の実施の形態を図面にもとづいて詳しく説明する。
【００１５】
図１〜図９は、本発明の仮設トイレの一実施の形態を示している。この実施の形態において、仮設トイレは、図１および図２に示すように、箱型本体１と天井部２とからなる箱型をしており、その天井部２は、箱型本体１に対して昇降可能となっている。そして、上記天井部２は、電動アクチュエーターを利用した昇降手段３と、この昇降手段３を円滑に作動させるための昇降姿勢保持体４により昇降し、この昇降手段３により上昇した状態を保持できるようになっている。また、天井部２を上昇させた状態では、蛇腹状の蛇腹シート（遮蔽手段）５により天井部２と箱型本体１との隙間が塞がれるようになっている。さらに、上記箱型本体１の前側壁面には、運搬の際にトラックＴの荷台のとりいＡに着脱自在に固定する第１の固定手段６が設けられ、上記箱型本体１の後側壁面には、トラックＴの荷台の左右のあおりＢに着脱自在に固定する第２の固定手段７が設けられている。そして、箱型本体１の底面には昇降ステップ８が格納されている。また、もちろんのこと、上記仮設トイレには、クレーンによる吊り上げ用のフック９やトラック荷台への固定用の補助フック１０、フォークリフトの爪を挿入する挿人孔１１、そして図示しないが、便器，汚物タンクまたは汚物処理装置，換気口，配電盤等が備えられている。
【００１６】
より詳しく説明すると、図２に示すように、上記天井部２は、電動アクチュエーターを利用した昇降手段３とこの昇降手段３が円滑に作動するように昇降姿勢を保持する昇降姿勢保持体４を介して、箱型本体１に対して天井部２全体が平行して昇降するようになっている。上記の昇降手段３は２本使用し、仮設トイレの箱型本体１の前後壁面内側と、天井部２の前後周縁部とで連結されている。また、上記昇降姿勢保持体４は４本使用し、箱型本体１の壁面内側と、天井部２の周縁部とで連結されている。従って、天井部２と箱型本体１とは、上記の昇降手段３（２本）および昇降姿勢保持体４（４本）の６箇所にて姿勢を保持しつつ天井部２全体が昇降する構成となっている。
【００１７】
さらに、仮設トイレの箱型本体１の上面の周縁部と上記天井部２の下面の周縁部との間には、上記蛇腹シート（遮蔽手段）５が設けられている。そして、上記のように天井部２が上昇した状態では、上記蛇腹シート（遮蔽手段）５が、仮設トイレの箱型本体１と天井部２との間にできる隙間を塞いで遮蔽するようになっている。
【００１８】
上記第１の固定手段６は、図３に示すように、上記箱型本体１の前側壁面の摺動腕体格納部１２の内部を左右方向にスライド自在に摺動する摺動腕体１３と、この摺動腕体１３の先端に回動自在に設けられた回動腕体１４と、この回動腕体１４の先端に回動自在に設けられたクランプ１５とからなっている。そして、上記摺動腕体１３には、長手方向に長い長孔１６が形成されており、上記箱型本体１の摺動腕体格納部１２には、締め付け機構を有するハンドルレバー１７が貫通しており、これら長孔１６とハンドルレバー１７とで摺動腕体１３のスライド位置決め機構が構成されている。そして、上記摺動腕体１３は、ハンドルレバー１７の締め付けにより、適宜の位置で固定できるようになっている。また、上記クランプ１５は、コ字状の断面を有する凹条部材１８を備えており、この凹条部材１８の対峙する２面のうちの一方の面１８ａには、雌ねじが形成されている。そして、この雌ねじに雄ねじ１９が螺合しており、上記凹条部材１８の内側に位置する雄ねじ１９の先端には、雄ねじ１９の回転に対して空回りする板片２０が設けられている。そして、凹条部材１８の対峙する２面のうち雌ねじが形成されていない他方の面１８ｂと上記板片２０との間に、とりいＡを入れ、雄ねじ１９を締めることによりとりいＡを挟持できるようになっている。
【００１９】
上記第２の固定手段７は、左右それぞれ、図４に示すように、上記箱型本体１の後側壁面の摺動腕体格納部２１の内部を左右方向にスライド自在に摺動する摺動腕体２２と、この摺動腕体２２の先端に回動自在に設けられた回動腕体２３と、この回動腕体２３の先端に回動自在に設けられたクランプ２４とからなっている。そして、上記摺動腕体２２には、長手方向に長い長孔２５が形成されており、上記箱型本体１の摺動腕体格納部２１には、締め付け機構を有するハンドルレバー２６が貫通しており、これら長孔２５とハンドルレバー２６とで摺動腕体２２のスライド位置決め機構が構成されている。そして、上記摺動腕体２２は、ハンドルレバー２６の締め付けにより、適宜の位置で固定できるようになっている。また、上記クランプ２４は、コ字状の断面を有する凹条部材２７を備えており、この凹条部材２７の対峙する２面のうちの一方の面２７ａには、雌ねじが形成されている。そして、この雌ねじに雄ねじ２８が螺合しており、上記凹条部材２７の内側に位置する雄ねじ２８の先端には、雄ねじ２８の回転に対して空回りする板片２９が設けられている。そして、凹条部材２７の対峙する２面のうち雌ねじが形成されていない他方の面２７ｂと上記板片２９との間に、あおりＢを入れ、雄ねじ２８を締めることによりあおりＢを挟持できるようになっている。
【００２０】
そして、上記仮設トイレは、図５および図６に示すように、トラックＴの荷台に固定して運搬される。この運搬の際には、まず、上記仮設トイレの天井部２を最も下降させた状態に保持する。ついで、上記仮設トイレをクレーンまたはフォークリフトによりトラックＴの荷台に載置したのち、上記第１の固定手段６をトラックＴのとりいＡに固定し、第２の固定手段７をトラックＴのあおりＢに固定する。
【００２１】
そして、上記仮設トイレを設置する工事現場等に到着すると、上記仮設トイレは、トラックＴの荷台に車載した状態でも使用できるが、地上に降ろす場合には、まず、上記第１の固定手段６および第２の固定手段７の固定を解除し、上記仮設トイレをクレーンまたはフォークリフトによりトラックＴの荷台から地上に降ろす。ついで、電動アクチュエーターを利用した昇降手段３により上記天井部２を上昇させる。
【００２２】
このように、天井部２全体が平行に上昇するため、仮設トイレ内部の天井空間を広くすることができる。したがって、楽な姿勢で用を足すことができ、圧迫感も感じない。
【００２３】
また、運搬の際には、天井部２を低くすることができるため、運搬時に、高さ制限に抵触することがなく、風の影響を受けにくく、トラックＴの運転にとって安全になる。
【００２４】
さらに、運搬の際にトラックＴの荷台のとりいＡに着脱自在に固定する第１の固定手段６、およびあおりＢに着脱自在に固定する第２の固定手段７が設けられているため、上記仮設トイレをトラックＴの荷台に簡単に固定することができるとともに、簡単に安定させることができる。しかも、固定用のロープ等を準備する必要がなくなる。また、第１の固定手段６は、図３に示すように、摺動腕体１３が左右方向にスライド自在となっており、その摺動腕体１３の先端に設けられている回動腕体１４が回動自在となっており、その回動腕体１４の先端に設けられているクランプ１５が回動自在となっているため、様々な高さのとりいＡに対応して固定することができる。また、第２の固定手段７は、図４に示すように、摺動腕体２２が左右方向にスライド自在となっており、その摺動腕体２２の先端に設けられている回動腕体２３が回動自在となっており、その回動腕体２３の先端に設けられているクランプ２７が回動自在となっているため、様々な高さのあおりＢおよび左右のあおりＢ間の様々な間隔に対応して固定することができる。
【００２５】
すなわち、上記の摺動腕体１３，２２の長さおよび長孔１６，２５の長さ、ならびに回動腕体１４，２３の長さを適正に設定することにより、軽トラックから３トン車クラスの高床式、およびワイドタイプのトラックＴのとりいＡおよびあおりＢの高さの変化、ならびに左右のあおりＢ間の様々な間隔にも対応して固定できるようになっている。
【００２６】
なお、本発明の仮設トイレは、車載・地上両用式であるため、運搬に用いるトラックＴは、トイレ専用車としての特殊車輌申請が不要であり、通常のトラックＴとして効率的且つ有効に使用することができる。
【００２７】
また、昇降用のステップは、図５および図７に示すように、上記箱型本体１の底面に取り付けてある格納部３０と、この格納部３０に収納する昇降ステップ８と、この昇降ステップ８の支柱部内部をスライド自在に摺動する伸長体３１とからなっている。そして、昇降ステップ８には、伸長体３１を位置決め固定するストッパー３２が取り付けられている。また、伸長体３１には、ストッパー用の丸孔３３が形成されている。そして、上記伸長体３１は、昇降ステップ８に取り付けられているストッパー３２の挿入先端を伸長体３１の丸孔３３に挿入し、ロックすることにより設定された位置で固定できるようになっている。また、上記昇降ステップ８の上端には、トラックＴの倒した状態のあおりＢに引っ掛けて昇降ステップ８の位置を固定するためのフック３４が取り付けられている。
【００２８】
ここで、本発明の仮設トイレを車載状態で使用する場合の上記昇降ステップ８の操作について説明すると、図５および図７に示すように、まず、仮設トイレ入り口側のトラックＴのあおりＢに固定している第２の固定手段７を外し、あおりＢを倒す。そして、上記格納部３０から昇降ステップ８を引き出し、ストッパー３２のロックを外して伸長体３１を適宜の位置に伸長し、ストッパー３２の先端を伸長体３１の丸孔３３に挿入しロックする。但し、軽トラックの場合には伸長体３１を伸長する必要はない。そして、昇降ステップ８の上端に取り付けられているフック３４を、倒したあおりＢに引っ掛けて位置決めし固定する。したがって、上記の昇降ステップ８は、軽トラックから３トン車クラスの高床式に至るトラックＴの荷台高さの変化にも対応して使用できる構造となっている。
【００２９】
また、上記仮設トイレは、図５に示すように、工事現場等における安全通行誘導を行なうための表示部３５を天井部２の昇降と連動して昇降させる機能を備えており、表示部３５を取り付けた表示部受け台３６を天井部２に簡単に後付けできる構造となっている。
【００３０】
ここで、天井部２の昇降と連動して表示部３５が昇降する構造について説明する。表示部３５を取り付けた表示部受け台３６の上端部は、天井部２にボルト等で簡単に後付けできるようになっている。そして、図８および図９に示すように、箱型本体１の後側壁面には板材３７が取り付けられており、また、表示部受け台３６の裏面にも板材３８が取り付けられている。この板材３７と板材３８により表示部３５の昇降の摺動性を良くするとともに、表示部３５の左右への横振れ防止と、表示部３５の重量が天井部２を昇降させる電動アクチュエーターを利用した昇降手段３と昇降姿勢保持体４への過負荷を軽減させる役割も果たしている。したがって、天井部２に取り付けた表示部３５は、天井部２を昇降させる昇降手段を活用することにより天井部２の昇降と連動して昇降する構造となっているため、表示部３５は遠方からの視認性も高く、より一層の安全通行誘導の効果を高めることができる。
【００３１】
したがって、上記の表示部３５を天井部２に取り付けることにより、本発明の仮設トイレは、道路の工事現場，作業現場等において臨時的に設置される仮設トイレと、安全通行誘導を行なうための規制標識としての１台２役の機能を兼ね備えた利用価値の高いものとなる。
【００３２】
【発明の効果】
以上のように、本発明の仮設トイレによれば、箱型の天井部が箱型本体に対して昇降可能に構成されており、上記天井部を昇降させる昇降手段と、天井部を上昇させた状態における天井部と箱型本体との隙間を塞ぐ遮蔽手段と、運搬の際にトラックの荷台のとりいおよびあおりの少なくとも一方に着脱自在に固定する固定手段を備えているため、トラックの荷台に載せて運搬する際には、天井部を下降させ、仮設トイレの高さを低くすることができる。このため、運搬時に、高さ制限に抵触することがなく、風の影響を受けにくく、トラックの運転にとって安全になる。しかも、トラックの荷台のとりいおよびあおりの少なくとも一方に着脱自在に固定する固定手段を備えているため、固定用のロープ等を用いることなく、簡単にトラックの荷台に安定させて固定することができる。
【００３３】
また、本発明の仮設トイレは、天井部を昇降させる電動アクチュエーターを利用した昇降手段とこの昇降手段を円滑に作動させるための昇降姿勢保持体とを備えており、天井部全体が平行に上昇するため、仮設トイレ内部の天井空間を広くすることができる。したがって、楽な姿勢で用を足すことができ、圧迫感も感じない。
【００３４】
また、本発明の仮設トイレにおいて、トラックの荷台のとりいおよびあおりの少なくとも一方に着脱自在に固定する固定手段は、トラックの荷台の左右のあおり間の幅およびとりいとあおりの高さの変化にも対応できる構造となっており、且つ、昇降ステップもトラック荷台の高さの変化にも対応して伸縮できる構造となっているため、本発明の仮設トイレは、軽トラックから３トン車クラスの高床式およびワイドタイプのトラックに至るまで幅広く積載することが可能である。したがって、本発明の仮設トイレを積載するトラックを専用化せずに、車載した状態でも地上に据え置いた状態でも使用することができる。
【００３５】
そして、本発明の仮設トイレにおいて、天井部の昇降手段が、工事現場等における安全通行誘導を行なうための表示部を天井部の昇降と連動して昇降させる機能を備えており、且つ、表示部を天井部に簡単に取り付けできる構造となっているため、本発明の仮設トイレは道路の工事現場，作業現場等において臨時的に設置される仮設トイレと、安全通行誘導を行なうための規制標識としての１台２役の機能を兼ね備えた利用価値の高いものとなる。
【図面の簡単な説明】
【図１】本発明の仮設トイレの一実施の形態を示す斜視図である。
【図２】上記仮設トイレを示す一部を破断した斜視図である。
【図３】上記仮設トイレの第１の固定手段を示す斜視図である。
【図４】上記仮設トイレの第２の固定手段を示す斜視図である。
【図５】上記仮設トイレをトラックの荷台に固定して運搬する状態を示す側面図である。
【図６】上記仮設トイレをトラックの荷台に固定して運搬する状態を示す背面図である。
【図７】上記仮設トイレの昇降ステップを示す斜視図である。
【図８】上記仮設トイレに表示部を取り付けた状態を示す側面図である。
【図９】上記仮設トイレに表示部を取り付けた状態を示す断面図である。
【符号の説明】
１  箱型本体
２  天井部
３  昇降手段
４  昇降姿勢保持体
５  蛇腹シート（遮蔽手段）
６  第１の固定手段
７  第２の固定手段
８  昇降ステップ
９  フック
【図１】
2004270427.tif 000003
【図２】
2004270427.tif 000004
【図３】
2004270427.tif 000005
【図４】
2004270427.tif 000006
【図５】
2004270427.tif 000007
【図６】
2004270427.tif 000008
【図７】
2004270427.tif 000009
【図８】
2004270427.tif 000010
【図９】
2004270427.tif 000011